(57)【特許請求の範囲】
【請求項１】
一組のレンズ及び一組の枠を有し、レンズを各枠に取り付け、磁石のみからなる一組の連結器を磁石の端面が露出するように枠の各内端に、つるを枠の各外端に、それぞれ取り付け、つるの後方端間を、形状を保持する堅さと弾力性、曲げることができる可撓性を有するストラップによって連結するようにし、眼鏡類の装着と取り外しを、前記磁石のみからなる一組の連結器により、枠の内端を連結又は分離することにより行う際、前記形状を保持するストラップを介して、レンズを眼の前に正しく配置することができるようにするとともに、装着しない時、首のまわりにかけることができるようにしたことを特徴とする眼鏡類。
【発明の詳細な説明】
【０００１】
【発明の属する技術分野】
本発明は、一般に眼鏡類に関する。
【０００２】
【従来技術及び課題】
眼鏡類は眼鏡とゴーグルを含む。それぞれは普通、内端でブリッジにより固定して連結した一組のレンズと、レンズの各外端に蝶番を付けた一組のつるを有する。つるの後方端は互いに分かれ、レンズの裏側に折りたたんで収納することができる。眼鏡類はつるを開き、それを装着者の頭の両側に配置し、髪、耳と頭の側面の各隙間に押し込んで装着する。この手順は少々厄介で、この手順中に装着者が一方のつるで眼を突くことも時々ある。
【０００３】
眼鏡類を装着しない時、保持ストラップをつるの間に取り付けて首に眼鏡類をかけることもある。ストラップは頭の上で輪になっていて、これが眼鏡類の装着をさらに厄介なものにし、また、頭の上で輪にする時、髪型を乱すこともある。シャネルが提供する流行の“ダブル  モノクル”サングラスはブリッジがないことで眼鏡類の伝統的な構造から外れている。このサングラスは内端で分かれた一組のレンズを有する。堅い水平な輪はレンズの後方に位置し、その外端間で連結する。輪は後部と同一平面上の一組のつる部分と、下方に突出する一組の耳湾曲部を有する。レンズはその内端で完全に分離しているので、互いに一直線に並ぶのは難しく、不可能でもある。レンズは装着時にゆるみすぎると、眼の前に正しく配置できなくなる。輪の後部は後頭部に高く位置するので、髪型を乱したり、ヘルメットのじゃまになったりする。輪はレンズに対して蝶番式に動かないので、眼鏡の装着は難しい。
【０００４】
従って、本眼鏡類の目的は、眼を突かずに容易に装着されること、目の前に正しくレンズを配置すること、装着時に完全に安定し、安全なこと、容易に取り外せること、装着時に髪型を乱さないし、ヘルメットのじゃまにならないこと、および装着しない時に首のまわりに都合よくかけられることである。
さらに、本発明の目的は図面の考察と以下の説明から明らかである。
【０００５】
【課題を解決する手段】
本眼鏡類は、一組のレンズ及び一組の枠を有し、レンズを各枠に取り付け、磁石のみからなる一組の連結器を磁石の端面が露出するように枠の各内端に、つるを枠の各外端に、それぞれ取り付け、つるの後方端間を、形状を保持する堅さと弾力性、曲げることができる可撓性を有するストラップによって連結するようにし、眼鏡類の装着と取り外しを、前記磁石のみからなる一組の連結器により、枠の内端を連結又は分離することにより行う際、前記形状を保持するストラップを介してレンズを眼の前に正しく配置するとともに、装着しない時、首のまわりにかけることができるようにしたことを特徴とする。
【０００６】
本眼鏡類の第1実施例を図1の正面透視図と図2の側面透視図で示す。これは一組のレンズ10、レンズ10の各内端に連結する一組の取り外し可能な連結器11、レンズ10の各外端に連結する一組のつる12と、つる12の後方端間に取り付けた概ね堅いストラップ13から成る。
【０００７】
レンズ10は、通気孔15を備えた各枠14に取り付けることが望ましい。連結器11は枠14の各内端に取り付けることが望ましい。つる12はさまざまな装着者に適合するはめ込み式であることが望ましい。つる12は枠14の各外端に対して回動することが望ましい。つる12は耳のまわりに曲がる湾局部16を有することが望ましい。ストラップ13はレンズ10の下に位置し、髪型を乱したり、ヘルメットのじゃまになるのを防ぐ。ストラップ13は取り外す時、その形状を保持する十分な弾力性がなければならないが、壊さずにある程度まで曲げられる可撓性も十分あることが望ましい。代わりに、ストラップ13はつる12と同程度であるかもしれないが、いくつかの利点を失っている。
【０００８】
代わりに、連結器11とつる12を直接レンズ10に取り付けることができる。連結器11は連結したり、分離する時、最も便利なネオジミウム‐鉄‐ホウ素磁石などの磁石から成ることが望ましいが、掛け金、かぎ輪留め具など種々のタイプの取り外し可能な連結器でもよい。連結器11は共に連結すると、レンズ10間にブリッジを形成する。眼鏡類は一組のゴーグルとして示されるが、一組の眼鏡でもよい。
【０００９】
レンズ10の内端は連結器11で共に取り外し可能に固定される。図3に示すように、装着するためにレンズ10を互いに離し、外方に回動し、図4に示すように、ストラップ13を後頭部のまわりに巻き、レンズ10を互いに対して回動して戻し、眼の前で共に連結する。レンズ10間の固定した連結によりレンズが眼の前で正しく配置されることを確実にする。本眼鏡類は後頭部から装着されるので、装着者の眼を突くことはない。レンズ10は瞬時に分離でき、眼鏡の装着や取り外しが容易であるが、瞬時に共に連結可能で、安全に正しく取り付けることができる。図5に示すように、眼鏡類を装着しない時、レンズ10を離し、ストラップ13の下の首のまわりにかける。
【００１０】
図６は、参考例で、レンズ10はストラップに沿って可動する緊帯18で長さを調節できる織物か、ゴムのストラップなどの完全な可撓性ストラップ17によりその外端間で連結する。代わりに、ストラップ17は締め金、留め金などの他の手段で調節することができる。図示するように、ストラップ17はつる19の後方端に取り付けるか、枠14の外端に直接取り付けてもよい。
【００１１】
従って、本眼鏡類は眼を突かずに容易に装着される。この眼鏡類はレンズを眼の前に正しく配置する。この眼鏡類は装着時に完全に安定していて、安全である。この眼鏡類は容易に取り外せる。この眼鏡類は装着時にヘルメットのじゃまにならない。この眼鏡類は装着しない時、首のまわりに都合よくかけることができる。
【００１２】
上記説明は特定のものであるが、発明の範囲の限界とはみなされず、好適実施例の一例にすぎない。本発明が教える範囲内で種々の変更は可能である。それゆえ発明の範囲は、記載した実施例によってではなく、付随の請求項と法律上それに匹敵するもので決定されるべきである。
【図面の簡単な説明】
【図１】本眼鏡類の正面透視図である。
【図２】本眼鏡類の側面透視図である。
【図３】一組のレンズが分離する時の正面透視図である。
【図４】人が装着した時の正面透視図である。
【図５】人が首のまわりにかけた時の正面透視図である。
【図６】参考例の側面透視図である。
【符号の説明】
10 レンズ
11 連結器
12 つる
13 堅いストラップ
14 枠
15 通気孔
16 湾曲部
17 可撓性ストラップ
18 緊帯
19 つる
【図１】
0003955432.tif 000002
【図２】
0003955432.tif 000003
【図３】
0003955432.tif 000004
【図４】
0003955432.tif 000005
【図５】
0003955432.tif 000006
【図６】
0003955432.tif 000007